【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
流路形成ユニット、槽外取付部材、槽内取付部材、およびフィルタ部材を備え、
前記流路形成ユニットが、その円盤部の後方突縁部の後端部内周面に設けられた複数個の係止突起を、槽内取付部材の前端のフランジ部の外周に設けられたＬ字形の係止溝に嵌入しかつ稔回することによって槽内取付部材に対して前後方向に抜出不能に連結されると共に、
前記流路形成ユニットの円盤部の周縁部近傍位置に前後方向に貫通する無ねじのピン孔が形成され、このピン孔に進退変位可能に挿通された回り止め用ロックピンの先端部が、前記槽内取付部材のフランジ部前面側のロック穴に嵌入されることにより、流路形成ユニットが槽内取付部材に対して相対回転不能に連結されてなることを特徴とする浴槽用給湯口アダプタ。
【請求項２】
前記ロックピンは、弾性合成樹脂からなり、軸部の一端に径大頭部を有し、他端に外方に張り出した抜け止め用係止段部を有するものとなされる一方、
前記ピン孔は、前記径大頭部が収容される対応の直径と深さをもった径大孔部と、前記軸部に対応する直径の径小孔部とを有し、
前記ロックピンが、その先端の抜け止め用係止段部を前記径小孔部に強制貫挿されることにより、前記ピン孔に抜け止め状態に装着されている請求項１に記載の浴槽用給湯口アダプタ。
【請求項３】
前記ピン孔の径大孔部は、その内周面に、ピン孔の外方端周縁から折返し状に内方に向って突設された複数個の弾性突片を有し、該弾性突片がロックピンの径大頭部の外周面に弾接されることにより、ロックピンの軸線方向の移動に摩擦抵抗が付与され、ロックピンの徒らな遊動が防止されている請求項１または２に記載の浴槽用給湯口アダプタ。
【請求項４】
ロックピンの径大頭部の外方端面に、複数個の凹陥部が設けられ、該凹陥部間に１ないし複数個の引き抜き操作用摘み部が残存形成されている請求項１〜３のいずれか１項に記載の浴槽用給湯口アダプタ。
【手続補正２】
【補正対象書類名】明細書
【補正対象項目名】全文
【補正方法】変更
【補正の内容】
【発明の詳細な説明】
【発明の名称】浴槽用給湯口アダプタ
【技術分野】
【０００１】
この発明は、浴槽壁部に貫通状態に取り付けられ、浴槽外の給湯機に配管接続させる浴槽用給湯口アダプタに関する。
【背景技術】
【０００２】
近年、浴槽の給湯システムとして、浴槽外に設置した給湯機で沸かした温水を浴槽内に送る湯はり機能と、浴槽内の温水を吸い込んで給湯機へ送り、該給湯機で加熱して高温水として浴槽内へ戻す追い焚き機能とを備えるものが普及しつつある。そして、このような給湯システムでは、浴槽壁部に貫通状態に取り付けた給湯口アダプタに、給湯機との間の循環流路の配管を接続している（特許文献１，２）。
【特許文献１】特開平１１−２０１５５８号公報
【特許文献２】特開平１１−３３７１８６号公報
【０００３】
上記の給湯口アダプタは、槽内側において、吸込口を前面に配し、多孔状のフィルタを介して浴槽内の温水を吸入して給湯機へ送る一方、給湯機から供給される高温水を、略下向きのスリット状に形成した吐出口から浴槽壁面に沿って下向きに扇状に拡がるように吐出させるようにしたものが一般的である。
【０００４】
ところで、上記のような機能を担う給湯口アダプタは、所定の流路形成を行なう流路形成ユニットと、これを浴槽の側壁内面側に取付ける槽内取付部材と、浴槽側壁を挾んで上記槽内取付部材を固定する槽外取付部材と、流路形成ユニットの前面側に着脱可能に被着されるフィルタ部材との４つを主要部品として構成されているのが一般的である。
【０００５】
そして、上記槽内取付部材は、浴槽側壁を貫通する筒状部の前端に浴槽側壁の内面側に当接配置されるフランジ部を有し、このフランジ部の前面側に、前記流路形成ユニットが取付けられ、更にこの流路形成ユニットに対してフィルタ部材が着脱可能に取付けられるものとなされている。
【０００６】
従来、上記槽内取付部材のフランジ部に対する流路形成ユニットの取付けは、多くの場合、流路形成ユニットの前面側から複数本の取付ねじをフランジ部に向けてねじ込むことによって行われていた。ところが、この場合、上記主要部品のほかに複数本の取付ねじを付属部品としてセットしなければならないため、部品点数が増大する不都合に加えて、施工現場でのアダプタの浴槽への取付け作業において上記取付ねじによる取付作業がいささか面倒であり、多くの時間と努力を要する難があった。
【発明の開示】
【発明が解決しようとする課題】
【０００７】
この発明は、上記のような事情に鑑みてなされたものであり、現場でのアダプタの取付施工作業を一段と簡単かつ能率的に行うことができると共に、所要部品点数を削減でき、しかも施工ミスを生じるおそれを軽減できる、殊に槽内取付部材と流路形成ユニットとの結合構造の改善技術を提供することを課題とする。
【課題を解決するための手段】
【０００８】
本発明は、上記の課題を下記の手段によって解決する。
【０００９】
［１］流路形成ユニット、槽外取付部材、槽内取付部材、およびフィルタ部材を備え、
前記流路形成ユニットが、その円盤部の後方突縁部の後端部内周面に設けられた複数個の係止突起を、槽内取付部材の前端のフランジ部の外周に設けられたＬ字形の係止溝に嵌入しかつ稔回することによって槽内取付部材に対して前後方向に抜出不能に連結されると共に、
前記流路形成ユニットの円盤部の周縁部近傍位置に前後方向に貫通する無ねじのピン孔が形成され、このピン孔に進退変位可能に挿通された回り止め用ロックピンの先端部が、前記槽内取付部材のフランジ部前面側のロック穴に嵌入されることにより、流路形成ユニットが槽内取付部材に対して相対回転不能に連結されてなることを特徴とする浴槽用給湯口アダプタ。
【００１０】
［２］前記ロックピンは、弾性合成樹脂からなり、軸部の一端に径大頭部を有し、他端に外方に張り出した抜け止め用係止段部を有するものとなされる一方、
前記ピン孔は、前記径大頭部が収容される対応の直径と深さをもった径大孔部と、前記軸部に対応する直径の径小孔部とを有し、
前記ロックピンが、その先端の抜け止め用係止段部を前記径小孔部に強制貫挿されることにより、前記ピン孔に抜け止め状態に装着されている前項［１］に記載の浴槽用給湯口アダプタ。
【００１１】
［３］前記ピン孔の径大孔部は、その内周面に、ピン孔の外方端周縁から折返し状に内方に向って突設された複数個の弾性突片を有し、該弾性突片がロックピンの径大頭部の外周面に弾接されることにより、ロックピンの軸線方向の移動に摩擦抵抗が付与され、ロックピンの徒らな遊動が防止されている前項［１］または［２］に記載の浴槽用給湯口アダプタ。
【００１２】
［４］ロックピンの径大頭部の外方端面に、複数個の凹陥部が設けられ、該凹陥部間に１ないし複数個の引き抜き操作用摘み部が残存形成されている前項［１］〜［３］のいずれか１項に記載の浴槽用給湯口アダプタ。
【発明の効果】
【００１３】
前記［１］に記載の構成によれば、予め浴壁側壁に固定した槽内取付部材のフランジに、その前面側から流路形成ユニットを被せるようにして押し当て、次いでこれを僅かに回転させて係止溝と係止突起とを係合させたのち、１本だけで必要かつ十分であるロックピンを僅かに押し込むことによって、流路形成ユニットを前後方向にも、また回転方向にも変位しない確実な固定状態に取付けることができる。従って、従来のように、複数本の取付ねじを用いて流路形成ユニットを槽内取付部材のフランジにねじ止め固定する場合に較べて、必要部品点数を削減できると共に、現場での取付施工作業を簡易化して、その作業時間の短縮及び労力の軽減をはかり得る。もとより、上記ロックピンは、流路形成ユニットの回り止めの役割のみを担うものであるから、先端部がロック穴に嵌まり込むだけの、比較的短かいもので足り、給湯口アダプタの浴槽内側取付部品の突出度合いの極めて小さい薄型のものとすることに貢献しうると共に、ロックピンの前記ロック穴へのはめ込みも該ロックピンを単に僅かに押し込むだけで完了することができるから、愈々、部品コストの削減と作業能率の向上に資することができる。
【００１４】
なお、前面のフィルタ部材は、流路形成ユニットに対して、これもＬ形の係止溝と係止突起とによる係止機構をもって着脱自在に取付けられるのが普通であるが、このフィルタ部材をその清掃、メンテナンスのために回転させて脱着させる場合においても、流路形成部材は上記ロックピンによって回転方向の移動変位が確実に阻止されたものとなっているので、上記フィルタ部材の脱着を支障なく行い得る。
【００１５】
前記［２］に記載の構成によれば、ロックピンをピン孔に強制的に単に押し込むことによって、その軸部の先端部の抜け止め用係止段部をピン孔に強制的に押し通して流路形成ユニットに組付け状態にセットすることができる。そして、このように組付けたのちは、前記抜け止め用係止段部がピン孔の径小孔部の奥端に引掛かるように作用するため、ピン孔からロックピンが不本意に抜脱することがない。従って、ロックピンを予め流路形成ユニットに組付けセットした状態でアダプタを市場供給することができ、製品の梱包管理上有利であるのみならず、現場でのアダプタの取付けに際しても、予め流路形成ユニットに取り付けられているロックピンをそのまま強く押し込むことで所要の取付作業を完了しうるので、愈々作業上便利であると共に、ロックピンの紛失やその取付忘れ等の施工ミスの発生のおそれを減少しうる。
【００１６】
更に、前記［３］に記載の構成によれば、ロックピンを流路形成ユニットに組付けた状態時においてはもとより、ロックピンの先端部をロック穴に挿し込んだ状態時においても、ロックピンはその頭部が弾性突片に拘束されて徒らに前後方向に遊動するのを阻止されるので、何らかの外力の影響でロックピンが不本意に流路形成ユニットから脱外したり、ロック穴から抜脱してしまうのを効果的に防止しうる。
【００１７】
更にまた、前記［４］に記載の構成によれば、給湯口アダプタの分解掃除等を行うに際して流路形成ユニットを槽内取付部材から取外す必要を生じたような場合に、ロックピンの径大頭部に設けられた引抜き操作用摘み部をピンセット様の挾み工具で挾んで強く外方に引っ張ることにより、ロックピンをロック穴から脱外する位置に後退移動させて、流路形成ユニットと槽内取付部材との回転方向の結合関係を解除することができる。従って、この回転拘束解除状態のもとで、流路形成ユニットを取付時とは逆の方向に僅かに回転して、前記係止突起とＬ字形係止溝との係合関係を解くことにより、支障なく流路形成ユニットを取外すことも可能となる。従って、この流路形成ユニットの取外し作業も簡単かつ容易に行うことができ、メンテナンス上も有利である。
【発明を実施するための最良の形態】
【００１８】
以下、この発明に係る浴槽用給湯口アダプタの実施形態について、図面を参照して具体的に説明する。
【００１９】
なお、この実施形態の給湯口アダプタは、浴槽外に設置した給湯機（図示省略）からの温水を浴槽内に供給する湯はり（貯湯）機能と、浴槽内の温水を給湯機に吸い込んで加熱した高温水を浴槽内に戻す追い焚き機能とを備えた浴槽給湯システムに適用するものであり、所謂無極タイプとして、給湯機に繋がる往き管と戻り管（図示省略）に対する接続が逆になっても同じ機能が得られるようになっている。
【００２０】
給湯口アダプタは、図１の縦断側面図ならびに図２の分解斜視図で示すように、流路形成ユニット１０、槽外取付部材７１、槽内取付部材７２、フィルタ部材７３の４つの主要部品と、槽外側のリング状被覆パッキング８１、Ｏリング８２、槽内側のリング状パッキング８３、リング状滑りシート８４、流路形成ユニット１０の回り止め用ロックピン８５の付属部品とで構成されている。なお、図中のＨは浴槽Ｔの側壁Ｔａに設けた貫通穴を示している。
【００２１】
流路形成ユニット１０は、既述の無極タイプとしての流路を形成するものであり、図３に示すように、円盤部１ａの中央部後面側に流路分岐部１ｂ（図４の（Ｂ）参照）及び流路筒部１ｃを一体形成した硬質合成樹脂成形物からなるユニット本体１と、その円盤部１ａの前面側に嵌着される硬質合成樹脂成形物からなる円形の前板２と、同円盤部１ａの中央にある弁部３に嵌着する弁座枠３１と、流路分岐部１ｂに配置される縦長のゴム板からなる第一及び第二の弁体３２Ａ，３２Ｂとを備えている。
【００２２】
そして、ユニット本体１の円盤部１ａの周縁上半部には前方へ突出した突縁部１１が形成され、この突縁部１１の前縁側に内嵌係止される前板２と当該円盤部１ａとの間で区画室１０ａ（図１参照）を構成している。また、この区画室１０ａの外周には、左右両側上部の２ヵ所または下部を含む３ヶ所にＬ字形の係止溝１１ａが形成されている。
【００２３】
図３〜図５に示すように、ユニット本体１の円盤部１ａの中央部には、弁部３を構成する開口部１２が形成され、この開口部１２が縦隔壁１３と左右の横桟１４，１４によって上下左右の流路穴１５ａ〜１５ｄに４分割されている。そして、左側上下の流路孔１５ａ，１５ｂは流路分岐部１ｂで後方外側へ開放する一方、右側上下の流路孔１５ｃ，１５ｄは流路分岐部１ｂの縦隔壁１３を直線部とする半円形の連絡室１０ｂ（図４（Ｂ）参照）を経て後部の円筒状の流路筒部１ｃ内に連通している。また、下側左右の流路孔１５ｂ，１５ｄには、各々開口縁の左右部及び下辺部と中間の長尺縦リブにより、前面側に臨む第一及び第二吐出弁座３３ａ，３３ｂが形成されている。
【００２４】
弁座枠３１は、ユニット本体１の開口部１２の上部側に前方から嵌着することにより、後方側に臨む第一及び第二吸込弁座３４ａ，３４ｂを構成するものであり、略半円形の外形をなす硬質合成樹脂成形物からなり、上側左右の流路孔１５ａ，１５ｃの各々に対応する左右各一対の流路窓３１ａ…を有すると共に、頂部と左右両端部とに突起状の当接片３１ｂが形成され、また下縁の中央部２ヵ所と左右両側部の計４ヵ所に取付孔３１ｃ…を備えている。
【００２５】
第一及び第二の弁体３２Ａ，３２Ｂは、ユニット本体１の開口部１２を左右に分割した各形状に対応しており、上半部が第一及び第二吸込弁３５ａ，３５ｂとして各々上側左右の流路孔１５ａ，１５ｃに嵌入し得るサイズを有すると共に、下半部が第一及び第二吐出弁３６ａ，３６ｂとして下側左右の流路孔１５ｂ，１５ｄの第一及び第二吐出弁座３３ａ，３３ｂに嵌合するサイズに設定されている。しかして、両弁体３２Ａ，３２Ｂの上下方向中間部には、左右両側の取付孔３２ａ，３２ａと、その間の横方向のリブ３２ｂとが設けてある。
【００２６】
しかして、ユニット本体１側には、図３で示すように、左右の横桟１４，１４のそれぞれ両端部に前方へ突出する支持ピン１４ａ…が設けてあり、これら支持ピン１４ａ…を、第一及び第二の弁体３２Ａ，３２Ｂの取付孔３２ａ…に圧入して、更に弁座枠３１の取付孔３１ｃ…に嵌入することにより、両弁体３２Ａ，３２Ｂ及び弁座枠３１をユニット本体１の円盤部１ａの前面に止着するようになっている。なお、両弁体３２Ａ，３２Ｂはリブ３２ｂを横桟１４の凹段部１４ｂ（図４（Ａ）参照）に嵌合して位置決めされている。
【００２７】
また、ユニット本体１の円盤部１ａの前面側には、下部の左右両側に直線部を内側にした弓形の凸部からなるセパレータ部４Ａ，４Ａ、上側の突縁部１１の左右内縁に係止ピン１１ｂ，１１ｂ、下側左右の流路孔１５ｂ，１５ｄの外側縁部に突片状の前板受け１６ｂ，１６ｂ、がそれぞれ突設されている。
【００２８】
更に、ユニット本体１には、その中央上部に前後に透通するピン孔１７を有する。また、上記円盤部１ａの突縁部１１の頂端近傍に前方へ開く切欠部１８が形成されている。また、該円盤部１ａの後面側には、全周にわたる後方突縁部１１ｃを有し、その内周側の３ヵ所に係止突起１９が周方向に等配して形成されている。
【００２９】
前板２は、図３に示すように、ユニット本体１の円盤部１ａに対応した円形をなし、その上半部には、ユニット本体１の上側左右の流路孔１５ａ，１５ｃに対向する領域に多数の小径の吸込孔２０…が、両側縁部にユニット本体１の各係止ピン１１ｂに対応する係止孔２ｂ，２ｂが、それぞれ前後に透通して形成され、更に周縁の２ヵ所にユニット本体１の各係止溝１１ａの入口部となる切欠２ｃが設けてある。
【００３０】
上記ピン孔１７は、これにロックピン８５を挿通して、流路形成ユニット１０の回り止めの役目を担うものであり、流路形成ユニット１０の中央上部の１個所のみに、前後方向に貫通する無ねじの段付き透孔として形成されたものである。
【００３１】
更に詳しくは、ピン孔１７は、図９及び図１０に示すように、後述のロックピン８５の径大頭部８５ｂが収容される対応直径と深さをもった径大孔部１７ａと、ロックピン８５の軸部８５ａに対応する直径の径小孔部１７ｂとを有する。上記径大孔部１７ａは、前記の前板２に設けられたものであり、径小孔部１７ｂはユニット本体１の円盤部１ａに設けられたものである。
【００３２】
そしてまた、前板２側に設けられたピン孔１７の上記径大孔部１７ａは、図９及び図１０に詳細を図示するように、その内周面に、ピン孔１７の外方端周縁から折返し状に内方に向かって突設された複数個の弾性突片１７ｃを有する。図示実施例において、この弾性突片１７ｃは、隣接するもの同士の間に切割部１７ｅを介して周方向に６個設けられたものとなされている。また、その先端部内側面に肉盛り部が形成され、後述するロックピン８５の径大頭部８５ｂを周りから弾力的挾み込んで、該ロックピン８５の軸線方向の自由な遊動を確実に防止しうるものとなされている。
【００３３】
また、図７に示すように、前板２の後面側には、ピン孔１７の位置から左右両側へ円弧状に延びる円弧隔壁リブ２１，２１、該ねじ孔２ａの位置から真下に直線的に延びる縦隔壁リブ２２、この縦隔壁リブ２２の中間部と左右両側の円弧隔壁リブ２１，２１の間を繋ぐ横隔壁リブ２３，２３、各横隔壁リブ２３から外向き斜め下方へ分岐した吐出ガイドリブ２４，２４、左右両側の円弧隔壁リブ２１，２１における横隔壁リブ２３との接合部より下方部分の外側に対向する弧状の導出ガイドリブ２５，２５がそれぞれ突設されている。また、この後面側の下部には、ユニット本体１側のセパレータ部４Ａ，４Ａに対応する弓形の浅い凹部２７，２７が形成され、更にユニット本体１側の第一及び第二吐出弁座３３ａ，３３ｂの下縁部との対向位置に直線状のＶ字溝２９，２９が設けられている。
【００３４】
しかして、流路形成ユニット１０は、第一及び第二の弁体３２Ａ，３２Ｂと弁座枠３１を装着したユニット本体１の円盤部１ａに対し、前板２の係止孔２ｂ，２ｂにユニット本体１側の係止ピン１１ｂ，１１ｂを挿嵌させて当該前板２を内嵌係止することにより、該円盤部１ａと前板２との間で既述の区画室１０ａを構成したものである。
【００３５】
この区画室１０ａでは、図８に示すように、ユニット本体１側の突縁部１１と、前板２側のリブ２１〜２５とが隔壁を構成し、またユニット本体１側のセパレータ部４Ａ，４Ａと、前板受け１６ｂも前板２の後面側に密接して壁体となっている。
【００３６】
これにより、区画室１０ａ内の上部側には、隔壁リブ２１〜２３に囲まれて隔絶した左右の第一及び第二吸込室５１ａ，５１ｂが形成されると共に、上部側周縁に沿って突縁部１１と円弧隔壁リブ２１，２１との間に混合用流路６Ａが構成されている。また、該区画室１０ａ内の下部側は、縦隔壁リブ２２の下方を仮想的な境界として、左右の第一及び第二吐出室５２ａ，５２ｂに区画されている。
【００３７】
そして、第一吸込室５１ａには第一吸込弁３５ａが、第二吸込室５１ｂには第二吸込弁３５ｂが、第一吐出室５２ａには第一吐出弁３６ａが、第二吐出室５２ｂには第二吐出弁３６ｂが、それぞれ臨んでいる。
【００３８】
また、区画室１０ａの突縁部１１がない下縁側は、スリット状に外部へ開放した吐出口５３を構成している。更に、第一及び第二吐出室５２ａ，５２ｂでは、それぞれ吐出弁３６ａ，３６ｂの流出口５４と吐出口５３との間が、セパレータ部４Ａによって左右に別れている。両吐出室５２ａ，５２ｂは、縦隔壁リブ２２の下端２２ａの下方に構成される連通口５５によって連通している。
【００３９】
混合用流路６Ａは、ユニット本体１の突縁部１１に設けていた切欠１８が頂部で導入口６０として外部に開口する一方、左右両側において、吐出ガイドリブ２４の下端と導出ガイドリブ２５との間が導出口６１として第一及び第二吐出室５２ａ，５２ｂの側方に臨んでいる。
【００４０】
槽外取付部材７１は、図１及び図２に示すように、黄銅やステンレス鋼等の金属製であり、略円筒状をなす外筒部７１ａの開放した前端にフランジ部７１ｂを備えると共に、外筒部７１ａの閉塞した後端部に一対の外管接続部７０ａ，７０ｂがロウ付けされ、該外筒部７１ａの内側には前方へ開放した円筒状の内筒部７１ｃが同軸状に一体形成されている。そして、外筒部７１ａと内筒部７１ｃの間の環状空間７ａが外管接続部７０ａに、内筒部７１ｃの内側空間７ｂが外管接続部７０ｂに、それぞれ連通している。また、外筒部７１ａの前部内周には雌ねじ７４ａが刻設され、この外筒部７１ａの前端よりも内奥に位置した内筒部７１ｃの前端の内周側にＯリング８２が嵌装されている。
【００４１】
しかして、槽外取付部材７１のフランジ部７１ｂには、リング状被覆パッキング８１が嵌着される。このパッキング８１は、断面略Ｕ字状の合成ゴム等からなる断面略Ｕ字状の成形物であり、その内周の環状嵌合溝８１ｂにフランジ部７１ｂを嵌め込むことにより、該フランジ部７１ｂの略外周面全域を包み込む状態に密着固定される。なお、このリング状被覆パッキング８１の前面側を構成する厚肉本体部８１ｂの表裏面には、複数の同心円状の密着用凹凸部８１ｃ…が形成されている。
【００４２】
槽内取付部材７２は、図１及び図２に示すように、ポリアセタート樹脂等の硬質樹脂成形物からなり、両端が開放した筒状部７２ａの前端にフランジ部７２ｂが一体形成されており、筒状部７２ａの外周には槽外取付部材７１の雌ねじ７４ａに対応する雄ねじ７４ｂが設けてある。そして、フランジ部７２ｂの後面側には、内周側から外周側へ段下する環状段部７５ａと、その外周側の環状溝７５ｂが形成されている。また、フランジ部７２ｂの前面側には多数の有底のロック穴７６…が周方向一定間隔置きに形成され、更に外周部には複数のＬ字形の係止溝７７が周方向一定間隔置きに形成されている。
【００４３】
上記ロック穴７６は、図９に示すように流路形成ユニット１０のピン孔１７に貫挿されるロックピン８５の先端部が嵌まり込むことにより、流路形成ユニット１０の回転変位を阻止するものであり、ロックピン８５の軸部の先端部の外径にほぼ符合する直径を有し、軸部先端部をしっくりと受け入れるものとなされている。
【００４４】
一方、ロックピン８５は、弾性合成樹脂成形品からなる長さ８．０〜８．５ｍｍ程度の極く短いものである。その具体的な形状を図１１に示している。同図に示すように、ロックピン８５は、その全長の約１／２長さ領域部分を軸部８５ａとし、その一端側の残りの約１／２長さ領域部分が径大頭部８５ｂとなされ、更に軸部８５ａの他端、即ち先端部に外方に張り出した抜け止め用係止段部８５ｃが形成され、該設部より先端側が先細テーパー状部８５ｆに形成されている。更にまた、ロックピン８５の径大頭部８５ｂの外方端面には、断面半円形の凹陥部８５ｄ、８５ｄが左右１対に設けられ、これらの凹陥部間に横断状態に残存する１つの引抜き操作用摘み部８５ｅが設けられている。この操作用摘み部８５ｅは、ロックピン８５をロック穴７６から引き抜く際に、ピンセット等の挾み工具で摘んで上記引き抜き操作を容易に行いうるようにするためのものであり、頭部頂面に複数個設けるものとしても良い。
【００４５】
上記ロックピン８５は、流路形成ユニット１０のロック孔１７に、前板２側から強制的に挿入することによって、予め該流路形成ユニット１０に組込み状態にセットされる。この組込み時において、ロックピン８５の軸部８５ａをピン孔１７に強く挿し込むことで、軸部先端の係止用設部８５ｃの部分は樹脂弾力による若干の一時的変形を伴いながらピン孔１７の小径孔部１７ｂを通過する。そして、通過後は、図９（Ａ）に示すように上記係止用段部８５ｃが小径孔部１７ｂの奥端周縁に引掛かることにより、抜け止め状態に流路形成ユニット１０に組付けられ、不本意な脱外が防止される。
【００４６】
しかして、槽内取付部材７２は、その使用に際し、筒状部７２ａにリング状滑りシート８４及びリング状パッキン８３を外嵌し、これらをフランジ部７２ｂに近接する位置に保持させておく。
【００４７】
リング状パッキング８３は、断面が内向きに尖った略スペード形をなす厚肉リング部８３ａと、この厚肉リング部８３ａから中心側へ全周にわたって張出する薄肉リング部８３ｂとで構成される合成ゴム等の一体成形物からなり、槽内取付部材７２の筒状部７２ａに嵌装した状態で、薄肉リング部８３ｂの内周縁が当該筒状部７２ａに略当接すると共に、厚肉リング部８３ａがフランジ部７２ｂの環状溝７５ｂに臨む形になる。
【００４８】
また、リング状滑りシート８４は、ポリオレフィンやポリエステル等の表面滑性が高い硬質乃至半硬質の平坦な合成樹脂シートからなり、槽内取付部材７２の筒状部７２ａに対してリング状パッキング８３よりも奥側つまりフランジ部７２ｂ側に嵌装するが、この嵌装状態で内周縁が当該筒状部７２ａに略当接すると共に、外周縁がフランジ部７２ｂの環状溝７５ｂ上に位置してリング状パッキング８３の厚肉リング部７３ａの最大肉厚部に被さるように寸法設定されている。
【００４９】
フィルタ部材７３は、図１及び図２に示すように、皿形の硬質合成樹脂成形物からなり、その円形の前壁部７３ａには径小で表裏に透通する多数の吸込孔７８…が略全面にわたって形成されている。また、前壁部７３ａから後方へ突出する周縁部７３ｂは、流路形成ユニット１０のスリット状の放出口５３に対応する下半部の突出高さが低く設定されると共に、内周に流路形成ユニット１０の各係止溝１１ａに対応する係止突起（図示省略）が形成されている。
【００５０】
上記した各部構成の給湯口アダプタを浴槽Ｔに取り付けるには、まず槽外取付部材７１と槽内取付部材７２とを浴槽側壁Ｔａの貫通穴Ｈを通して螺合させ、両者７１，７２のフランジ部７１ｂ，７２ｂ間でパッキング８１，８３を介して浴槽側壁Ｔａを内外から挟着する。すなわち、浴槽側壁Ｔａの外側に配置した槽外取付部材７１の外筒部７１ａに、槽内取付部材７２の筒状部７２ａを該浴槽側壁Ｔａの内側から貫通穴Ｈを通して合わせ、槽内取付部材７２側の回転操作により、筒状部７２ａの雄ねじ７４ｂを外筒部７１ａの雌ねじ７４ａに螺合させて締め付ければよい。
【００５１】
上記の螺合操作では、槽内取付部材７２のフランジ部７１ｂとリング状パッキング８３との間にリング状滑りシート８４が介在するから、操作の当初から終盤に至るまでの間、該滑りシート８４の滑り作用により、槽内取付部材７２とパッキング８３との共廻りが抑えられるため、該パッキング８３が捩れて断裂したり歪な変形状態にならず、且つ槽内取付部材７２を軽く容易に回転できる。
【００５２】
そして、螺合の終盤になると、パッキング８３の厚肉リング部８３ａがフランジ部７２ｂの環状溝７５ｂに入り込むのに伴い、リング状滑りシート８３が環状段部７５ａで屈曲し、その外周側が環状溝７５ｂへ曲がり込んで外径を縮小し、最終的に図１に示すようにパッキング８３の厚肉リング部８３ａから外れ、該厚肉リング部８３ａが環状溝７５ｂの底面に直接に圧接して密着する状態となるから、良好な水密封止性が得られる。
【００５３】
かくして両取付部材７１，７２の螺合連結が完了すれば、槽外取付部材７１の外管接続部７０ａ，７０ｂに給湯機に繋がる往き管と戻り管を接続すると共に、浴槽Ｔの内側より槽内取付部材７２に流路形成ユニット１０及びフィルタ部材７３を取り付ける。なお、槽外取付部材７１は非回転側であるため、前記螺合操作の前に外管接続部７０ａ，７０ｂの接続を済ませておいてもよい。
【００５４】
流路形成ユニット１０は、吐出口５３が下側になる状態で、流路筒部１ｃ側から槽内取付部材７２内に嵌入させ、該流路筒部１ｃを槽内取付部材７２内に突入している槽外取付部材７１の内筒部７１ｃに挿嵌させる。なお、この挿嵌部分では内筒部７１ｃの内周に嵌装したＯリング６によって隙間が封止される。そして、円盤部１ａの後方突縁部１１ｃを取付部材７２のフランジ部７２ｂに外嵌し、後面側の各係止突起１９がフランジ部７２ｂ外周の係止溝７７に嵌入した状態で少し捻回操作すれば、これら係止突起１９が係止溝７７の入口側から周方向にずれた奥端位置に入り込むから、該ユニット１０は槽内取付部材７２に対して前後方向には抜出不能となる。
【００５５】
しかるのち、予め流路形成ユニット１０に組付けられたロックピン８５を、頭部８５ｂに外側から押圧力を加えることでピン孔１７の奥方向に押し込む。すると、ロックピン８５の押し込み移動によって、その先端のテーパー部８５ｆを含む先端部が図９（Ｂ）に示すようにロック穴７６内に嵌まり込み、以降、流路形成ユニット１０は槽内取付部材７２に対して捻回不能となるから、該流路形成ユニット１０の槽内取付部材７２との係合が意に反して解除されるのを防止できる。
【００５６】
上記ロックピン８５は、前述のようにアダプタの取付施工前の市場供給段階で、予め流路形成ユニット１０のピン孔１７に挿通して該ユニット１０に抜け止め状態に組付けセットしておくものとなされている。従って、ロックピン８５を別に梱包する必要がなく、部品管理上有利であるし、取付施工現場において、予め流路形成ユニット１０にロックピン８５がセットされていることで、その付け忘れによる施工ミスの発生を防止できる。
【００５７】
そして、上記セット状態からロックピン８５を押し込んでロック穴７６に嵌入させた状態では、図９（Ｂ）に示すようにロックピン８５の径大頭部８５ｂはロック孔１７の径大孔部１７ａ内に完全に納まった状態となって前板２の前面側に突出しない状態となる一方、該径大頭部８５ｂの外周面に弾性突片１７ｃが弾力的に圧接される結果、ロックピン８５の軸線方向の移動に大きな摩擦抵抗が付与され、ロックピン８５の徒らな遊動が阻止されて、ロック孔７６への嵌合状態が確実に維持される。
【００５８】
なお、流路形成ユニット１０の取外しのためにロックピン８５によるロック状態を解除する必要が生じた場合には、前述のようにピンセット等の挾み工具でロックピン８５の頭部８５ｂの摘み部８５ｅを挾んで僅かに引き抜き移動させることで、容易にロック穴７６からロックピン８５の先端部を脱出させてロックを解除することができる。
【００５９】
なお、槽内取付部材７２側の係止溝７７とロック孔７６は周方向に一定間隔置きに多数形成されているから、螺合完了後の槽内取付部材７２の回転停止姿勢が変動しても、該ユニット１０は利用する係止溝７７及びロック穴７６の選択により、放出口５３が下側になる最も好ましい姿勢で連結できる。
【００６０】
フィルタ部材７３についても、流路形成ユニット１０の区画室１０ａの前面に被せて、周縁部７３ｂの内周の各係止突起（図示省略）を区画室１０ａ外周の係止溝１１ａに嵌入し、その状態で少し捻回操作することにより、該ユニット１０に対して前後方向には抜出不能に係合連結される。なお、フィルタ部材７３は、流路形成ユニット１０とは異なり、汚れによる目詰まりを防止する上で、清掃し易いように簡単に取り外せる方がよいため、特にロックする必要はない。
【００６１】
この場合、給湯口アダプタとして必要な流路構成が流路形成ユニット１０として機能的にコンパクトにまとまっているから、浴槽側壁Ｔａへの組み付けが容易であると共に、浴槽Ｔ内で嵩張らないという利点がある。
【００６２】
かくして浴室側壁Ｔａに貫通状態に取り付けた給湯口アダプタでは、図１に示すように、流路形成ユニット１０の区画室１０ａの左側に位置する第一吸込室５１ａ及び第一吐出室５２ａ（図８参照）から流路分岐部１ｂを経て流路筒部１ｃの外側に繋がる流路Ｆ１は、槽外取付部材７１の外筒部７１ａと内筒部７１ｃとの間の環状空間７ａを通して外管接続部７０ａに連通している。また、区画室１０ａの右側に位置する第二吸込室５１ｂ及び第二吐出室５２ｂから流路分岐部１ｂを経て流路筒部１ｃの内側に繋がる流路Ｆ２は、槽外取付部材７１の内筒部１ｂの内側空間７ｂより外管接続部７０ｂへ連通している。
【００６３】
なお、図１では図示を省略しているが、フィルタ部材７３の前壁部７３ａには多数の吸込孔７８…が略全面にわたって存在し（図２参照）、流路形成ユニット１０の前板２にも両吸込室５１ａ，５１ｂに臨んで多数の吸込孔２０…を備える（図２，３，７参照）ため、両吸込室５１ａ，５１ｂには前面側から浴槽温水が流入可能になっている。
【００６４】
この給湯口アダプタは、無極タイプであり、２つの流路Ｆ１，Ｆ２のいずれが吸込側になっても、また吐出側になっても同じ機能が得られる。
【００６５】
例えば、図１において流路Ｆ２が給湯機の吸込側の往き管に繋がっておれば、追い焚き時に、給湯機側からの強制吸引によって第二吸込弁３５ｂが内側へ変形して開弁し、第二吸込室５１ｂの前面側から浴槽温水が流路Ｆ２へ流入して給湯機側へ送られるが、下方の第二吐出弁３６ｂは給湯機側からの強制吸引によって第二吐出弁座３３ｂに圧接して閉弁状態を維持する。一方、吐出側となった流路Ｆ１には給湯機側から温水が送られて来るから、その送圧力で第一吐出弁３６ａが外側へ変形して開弁し、第一吐出室５２ａへ流入した供給温水が吐出口５３より浴槽Ｔ内へ放出されるが、上方の第一吸込弁３５ａは送圧力で第一吸込弁座３４ａに圧接して閉弁状態を維持する。
【００６６】
従って、流路Ｆ１が吸込側、流路Ｆ２が吐出側と逆の接続になっても、第一吸込室５１ａより浴槽温水を吸い込み、第二吐出室５２ｂから供給温水を吐出するだけで、同じことである。なお、湯はり作動時には、給湯機側から両流路Ｆ１，Ｆ２を通して温水が供給されるから、両吐出弁３６ａ，３６ｂが開弁して第一及び第二吐出室５２ａ，５２ｂの両方の吐出口５３から供給温水が放出される。無論、このときには両吸込弁３５ａ，３５ｂは閉弁している。
【００６７】
この第一実施形態の給湯口アダプタでは、追い焚きにおいて、例えば第二吸込室５１ｂより浴槽温水を吸い込み、第一吐出室５２ａから供給温水を吐出する場合、図８に示すように、第一吐出室５２ａからの略下向きの吐出流は、セパレータ部４Ａによって白矢印の如く左右つまり中央側と側方側とに分流して浴槽内へ放出される。
【００６８】
このとき、該セパレータ部４Ａで流路が狭まって流速を増すため、該吐出流の近傍に誘引力を及ぼし、この誘引力が混合用流路６Ａの導出口６１に作用することにより、黒矢印で示すように、浴槽内の温水が継続的に導入口６０から該混合用流路６Ａへ流入し、導出口６１から連続的に導出して側方側の吐出流に巻き込まれる。
【００６９】
また、中央側においても同様の誘引力が働くため、休止している第二吐出室５２ｂに入り込んでいる浴槽温水が、黒矢印の如く、連通口５５から第一吐出室５２ａ側へ連続的に導出され、該中央側の吐出流に巻き込まれる。
【００７０】
従って、給湯機からの高温水と温度の低い浴槽温水とが吐出口５３近傍で効果的に混合され、吐出流は降温した状態で浴槽内へ放出される上、吐出流量が増大することによって浴槽内での攪拌作用も大きくなるから、浴槽内に局所的な高温部を生じたり、比較的温度の高い流れが入浴者の位置まで達したりするのを確実に防止できる。
【００７１】
なお、この場合のセパレータ部４Ａは弓形をなすため、吐出流は片側の直線部に沿って流れる直流と反対側の曲面部に沿う曲流とに分流するが、曲流の曲がり込みによって吐出口５３近傍で分流がぶつかり合って攪拌効果を増すという利点がある。
【００７２】
上記実施側では、無極タイプの浴槽用給湯口アダプタであって、しかも混合用流路を有する給湯口アダプタを例示したが、この発明の適用はこのようなタイプのアダプタに限定されるものではなく、槽内取付部材の槽内側フランジに対して流路形成ユニットを取付ける形式のアダプタについて広く適用可能である。
【図面の簡単な説明】
【００７３】
【図１】この発明の第一実施形態に係る浴槽用給湯口アダプタを組み付け状態で示す縦断側面図である。
【図２】同浴槽用給湯口アダプタの分解斜視図である。
【図３】同浴槽用給湯口アダプタの流路形成ユニットの分解斜視図である。
【図４】同流路形成ユニットのユニット本体を示し、（Ａ）図は正面図、（Ｂ）図は（Ａ）図のＢ−Ｂ線の断面矢視図である。
【図５】同ユニット本体の背面図である。
【図６】同ユニット本体の側面図である。
【図７】同流路形成ユニットの前板の背面図である。
【図８】同流路形成ユニットの縦断正面図である。
【図９】ロックピンの取付部の構成を示すもので、（Ａ）図はロックピンの押込みロック前の状態、（Ｂ）図はロックピンの押込みロック後の状態をそれぞれ示す断面図である。
【図１０】流路形成ユニットの前板のピン孔部とロックピンとを分離状態で示した斜視図である。
【図１１】ロックピンの形状を示すもので、（Ａ）図は正面図、（Ｂ）図は（Ａ）図のＢ−Ｂ線の断面図である。
【符号の説明】
【００７４】
１・・・・ユニット本体
１ａ・・・円盤部
２ａ・・・雌ねじ孔
１０・・・流路形成ユニット
１１ｃ・・後方突縁部
１７・・・ピン孔
１７ａ・・径大孔部
１７ｂ・・径小孔部
１７ｃ・・弾性突片
１９・・・係止突起
７１・・・槽外取付部材
７２・・・槽内取付部材
７３・・・フィルタ部材
７２ｂ・・フランジ部
７６・・・ロック穴
７７・・・係止溝
８５・・・ロックピン
８５ａ・・軸部
８５ｂ・・径大頭部
８５ｃ・・係止段部
８５ｄ・・凹陥部
８５ｅ・・操作用摘み部
８５ｆ・・先端テーパー状部